(57)【要約】【課題】出射光の均一化及び光吸収層の形成の容易化が可能な面光源装置を提供する。【解決手段】導光板４やフレーム２に形成する光吸収層３１，３２の形成領域が、導光板４の一方の面２４から導光板４の他方の側面２０までの間の、２つの面２４，２０が交わることによって形成される他方の側面２０に対して平行な方向に延びる稜線（エッジ３０）を被覆することが可能な領域であるため、エッジ３０から導光板４の内部に光が入射するのを防止し、導光板４の他方の面（出射面）２３から出射される光のうちの他方の側面２０近傍の出射光の輝度レベルを下げて、出射面全域から出射される光の輝度の均一化を図ることができ、出射光の明暗のばらつきの発生を効果的に防止できる。また、導光板４の他方の側面２０から一方の面２４に跨る領域に光吸収層３１，３２を形成することができるため、光吸収層の形成範囲を広くすることができる。【選択図】図７
2006108116.tif 000002
【特許請求の範囲】
【請求項１】
光源が導光板の一方の側面に対向するように配置され、前記導光板の一方の面側に光を反射する反射シートが配置され、これら光源，導光板及び反射シートがフレーム内に収容されており、前記光源から発せられた光が前記導光板の側面から前記導光板の内部に入射し、この導光板の内部に入射した光が前記導光板の一方の面側に対して反対側に位置する他方の面側から面状に出射するようになっている面光源装置において、
前記一方の側面に対して反対側に位置する他方の側面から前記一方の面にかけて、これらの面上に連続して光吸収層が形成され、
この光吸収層の形成領域が、
前記一方の面から前記他方の側面までの間に存在する前記他方の側面に対して平行な方向に延びる稜線を被覆することが可能な領域である、
ことを特徴とする面光源装置。
【請求項２】
光源が導光板の一方の側面に対向するように配置され、前記導光板の一方の面側に光を反射する反射シートが配置され、これら光源，導光板及び反射シートがフレーム内に収容されており、前記光源から発せられた光が前記導光板の側面から前記導光板の内部に入射し、この導光板の内部に入射した光が前記導光板の一方の面側に対して反対側に位置する他方の面側から面状に出射するようになっている面光源装置において、
前記一方の側面に対して反対側に位置する他方の側面から前記一方の面にかけて、これら前記導光板の面に対応するフレーム部分の面上に連続して光吸収層が形成され、
この光吸収層の形成領域が、
前記一方の面から前記他方の側面までの間に存在する前記他方の側面に対して平行な方向に延びる稜線を被覆することが可能な領域である、
ことを特徴とする面光源装置。
【請求項３】
前記請求項１又は２に記載の面光源装置と、この面光源装置からの面状出射光で照明されて画像を表示する画像表示パネルとを備えたことを特徴とする画像表示装置。
【発明の詳細な説明】
【技術分野】
【０００１】
この発明は、携帯型パソコンやナビゲーション装置等の画像表示パネルを照明する面光源装置や、この面光源装置を備えた画像表示装置に関する。
【背景技術】
【０００２】
例えば、画像表示装置としての液晶表示装置は、携帯型パソコン等に使用され、面光源装置から出射される面状の照明光を液晶表示パネル（画像表示パネル）に照射し、液晶表示パネルの表面上に画像を表示させるようになっている。
【０００３】
図１０は、このような液晶表示装置４０に使用される面光源装置４１の一例を示すものである。この図１０に示す面光源装置４１は、導光板４２と、この導光板４２の一側面（入射面）４３に対向するように配置された蛍光ランプ（光源）４４と、導光板４２の下面４２ａ側に配置された反射シート４５と、導光板４２の上面４２ｂ側に配置されたプリズムシート４６と、このプリズムシート４６の上方に重ねて配置される保護シート４７と、蛍光ランプ４４を囲むように配置されたリフレクター４８と、を備えている。
【０００４】
このように構成された面光源装置４１は、蛍光ランプ４４から発せられた光が導光板４２の入射面４３から導光板４２の内部に入射し、この導光板４２の内部に入射した光が導光板４２の上面４２ｂと下面４２ａで反射されながら導光板４２の内部を伝搬されるうちに、導光板４２の上面４２ｂや下面４２ａに対して臨界角以下になった光が導光板４２の上面４２ｂまたは下面４２ａから導光板４２の外部に出射する。この出射光のうちで導光板４２の下面４２ａ側から出射する光は、反射シート４５で反射されて導光板４２の内部に再度入射し、その後直接又は上記の如き振舞を繰り返して導光板４２の上面４２ｂから導光板４２の外部に出射する。そして、導光板４２の上面４２ｂから出射した光は、プリズムシート４６を通過することによりその進行方向が液晶表示パネル５４側に補正され、次いで保護シート４７を通過した後、液晶表示パネル５４を効率的に照射する。
【０００５】
又、面光源装置４１は、図１０及び図１１に示すように、導光板４２の入射面（一方の側面）４３に対して反対側の側面（他方の側面）５０から出射した光が白色のフレーム５１の内面で反射されて再度導光板４２内部に入射し、導光板４２の他方の側面５０近傍からの出射光量が多くなり、とりわけ導光板４２のエッジ５２，５３から入射した光が導光板４２の側面５０側端部近傍の上面４２ｂから出射して、導光板４２の側面５０と平行の明るい筋状の出射光領域を生じる。このような出射光Ｈの明暗の差が生じると、出射光Ｈの品位が著しく低下する。従って、このような面光源装置４１で液晶表示パネル５４を照明しても、液晶表示パネル５４の画像は見にくいものとなる。
【０００６】
そこで、図１２に示すように、光吸収テープ５５を導光板４２の他方の側面５０に張り付けて、導光板４２の他方の側面５０から外部に出射する光を吸収し、導光板４２の反対側の側面５０近傍の出射光が部分的に明るくなるのを防止して、出射光を均一化する技術が既に案出されている（特許文献１参照）。
【０００７】
【特許文献１】特開平１１−２３２９１８号公報（特に、段落番号００４４及び図２０参照）
【発明の開示】
【発明が解決しようとする課題】
【０００８】
しかしながら、近年、携帯型パソコン等の液晶表示装置４０においては、薄型化・軽量化が図られており、液晶表示装置４０を構成する面光源装置４１に対しても薄型化・軽量化の要望が強いため、光源としての蛍光ランプ４４のランプ径が小さくなり、導光板４２の板厚が薄くなっている。とりわけ、導光板４２の断面形状が楔形形状に形成されたものは、導光板４２の光源４４に対して反対側の端部（他方の側面５０）が極めて薄くなる（例えば、０．５〜０．６ｍｍ）。そのため、導光板４２の他方の側面５０に光吸収テープ５５を貼り付けることが難しくなっている。
【０００９】
そこで、本発明は、導光板４２の薄い端部に容易に光吸収層（光吸収テープ５５）を配置することができ、導光板４２からの出射光の均一化を図ることができる反射シート４５、面光源装置４１及びこの面光源装置４１を備えた画像表示装置４０を提供することを目的としている。
【課題を解決するための手段】
【００１０】
請求項１の発明は、光源が導光板の一方の側面に対向するように配置され、前記導光板の一方の面側に光を反射する反射シートが配置され、これら光源，導光板及び反射シートがフレーム内に収容されており、前記光源から発せられた光が前記導光板の側面から前記導光板の内部に入射し、この導光板の内部に入射した光が前記導光板の一方の面側に対して反対側に位置する他方の面側から面状に出射するようになっている面光源装置に関するものである。この面光源装置において、前記一方の側面に対して反対側に位置する他方の側面から前記一方の面にかけて、これらの面上に連続して光吸収層が形成されている。そして、この光吸収層の形成領域が、前記一方の面から前記他方の側面までの間に存在する前記他方の側面に対して平行な方向に延びる稜線を被覆することが可能な領域であることを特徴としている。
【００１１】
請求項２の発明は、光源が導光板の一方の側面に対向するように配置され、前記導光板の一方の面側に光を反射する反射シートが配置され、これら光源，導光板及び反射シートがフレーム内に収容されており、前記光源から発せられた光が前記導光板の側面から前記導光板の内部に入射し、この導光板の内部に入射した光が前記導光板の一方の面側に対して反対側に位置する他方の面側から面状に出射するようになっている面光源装置に関するものである。この面光源装置において、前記一方の側面に対して反対側に位置する他方の側面から前記一方の面にかけて、これら前記導光板の面に対応するフレーム部分の面上に連続して光吸収層が形成されている。そして、この光吸収層の形成領域が、前記一方の面から前記他方の側面までの間に存在する前記他方の側面に対して平行な方向に延びる稜線を被覆することが可能な領域であることを特徴としている。
【００１２】
請求項３の発明は、前記請求項１又は２の発明の面光源装置と、この面光源装置からの面状出射光で照明されて画像を表示する画像表示パネルと、を備えたことを特徴とする画像表示装置である。
【発明の効果】
【００１３】
本発明の面光源装置は、導光板やフレームに形成する光吸収層の形成領域が、導光板の一方の面から導光板の他方の側面までの間に存在する前記他方の側面に対して平行な方向に延びる稜線を被覆することが可能な領域であるため、前記稜線から導光板の内部に光が入射するのを防止し、導光板の他方の面（出射面）から出射される光のうちの他方の側面近傍の出射光の輝度レベルを下げて、出射面全域から出射される光の輝度の均一化を図ることができ、出射光の明暗のばらつきの発生を効果的に防止できる。
【００１４】
又、本発明の面光源装置は、薄い導光板の他方の側面のみに光吸収層を形成するのではなく、導光板やフレームに形成する光吸収層の形成領域が、導光板の一方の面から導光板の他方の側面までの間に存在する前記他方の側面に対して平行な方向に延びる稜線を被覆することが可能な領域であり、導光板の他方の側面から一方の面にかけて、これらの面上に連続する領域であるか、又はこれら導光板の面に対応するフレーム部分の面上に連続する領域であるため、薄い導光板の他方の側面のみに光吸収層を形成する従来例に比較して、光吸収層の形成範囲を広くすることができ、光吸収層の形成作業が容易化する。
【００１５】
又、本発明の画像表示装置は、上記のような面光源装置を備えているため、画像表示パネルを均一な面状の出射光で照明されることになり、画像の表示品位が向上する。
【発明を実施するための最良の形態】
【００１６】
以下、本発明を実施するための最良の形態を図面に基づき詳述する。
【００１７】
［第１形態］
図１〜図２は、本発明の第１形態に係る面光源装置１に関するものである。このうち、図１は、本発明の第１形態に係る面光源装置１の分解斜視図である。又、図２は、図１のＡ−Ａ線に沿って切断して示す断面図である。これらの図において、略矩形状に形成されたフレーム２内には、反射シート３，導光板４，プリズムシート５及び保護シート６が順次重ねて収容されている。そして、導光板４の一方の側面（入射面）７に対向するように蛍光ランプ（光源）８が配置されており、この蛍光ランプ８の両端部がフレーム２の枠体１０に着脱可能な状態で固定されている。又、蛍光ランプ８の周囲をリフレクター１１で覆ってあり、蛍光ランプ８の光をリフレクター１１で反射し、その反射光をリフレクター１１で導光板４の入射面７に導くようになっている。
【００１８】
フレーム２は、白色の合成樹脂を射出成形することにより形成されており、略矩形状の合成樹脂製の枠体１０と、反射シート３等を下方から支持する張り出し部１２，１３と、枠体１０の上面側切り欠き部１４にねじ１５で固定される板部材１６と、を備えている。そして、枠体１０及び板部材１６の上面側には、液晶表示パネル（画像表示パネル）１７を係合するためのパネル係合部１８ａ，１８ｂが形成されている。
【００１９】
反射シート３は、優れた反射性を有する白色ＰＥＴシートで形成されており、導光板４の下面２４に対向するように配置される平面部３ａと、この平面部３ａの端部から折り曲げられた立ち上げ部３ｂとからなっている。ここで、この反射シート３の立ち上げ部３ｂは、図３に詳細を示すように、導光板４の入射面７に対して反対側に位置する側面（他方の側面）２０やプリズムシート５及び保護シート６の図中右端面に対向するように形成されている。そして、この反射シート３の立ち上げ部３ｂ及びこの立ち上げ部３ｂに連続する平面部３ａの一部分で且つ導光板４に対向する面には、導光板４から出射する光を吸収する黒又は灰色の光吸収層２１，２２が形成されている。
【００２０】
図４は、光吸収層２１，２２の形成例を示す図である。この図４に示す反射シート３は、立ち上げ部３ｂに黒又は灰色等の光吸収性インクからなる光吸収層２２が全面に形成され、この立ち上げ部３ｂに連続する平面部３ａの一部分に黒又は灰色等の光吸収性インクのドットパターンが形成されている。そして、平面部３ａのドットパターンは、立ち上げ部３ｂから離れるにしたがってドット面積が小さくなるように形成され（光吸収率が低くなるように形成され）、立ち上げ部３ｂに近い程多くの光が吸収されるようにして、導光板４の出射面（他方の平面）２３から出射する光の輝度を均一化するようになっている。ここで、反射シート３の平面部３ａの光吸収層２１の形成長さＬやドット密度は、導光板４の材質や形状及び蛍光ランプ８の発光量等の各種条件に応じて適宜決定される。
【００２１】
又、反射シート３は、図４（ａ）に示すように、平面状のシート部材の一端側に立ち上げ部３ｂの光吸収層２２と平面部３ａの光吸収層２１が予め形成された後、折り曲げ線を基準にして立ち上げ部３ｂが折り曲げ形成されるようになっている（図４（ｂ）参照）。このように、本実施の形態の反射シート３は、平面状のシート材に光吸収層２１，２２を形成するようになっており、しかも光吸収層が立体的な導光板４（４２）の薄い他方の側面２０（５０）にのみ形成される従来例（図１２参照）に比較して広いため、光吸収層２１，２２が従来例に比較して容易に形成される。尚、ここで、立ち上げ部３ｂは、折り曲げ線に沿って折り曲げるための溝を予め形成しておき、この折り曲げ用の溝に沿って折り曲げて立ち上げられる。又、立ち上げ部３ｂは、折り曲げ線に沿って熱を加えた状態で折り曲げるようにしてもよい。
【００２２】
導光板４は、アクリル樹脂等の合成樹脂を射出成形することにより形成されており、出射面（他方の面）２３が略矩形形状になるように形成されている。又、導光板４は、その断面形状が略楔形形状に形成されており、蛍光ランプ８から遠ざかるにしたがって板厚が薄くなるように形成されている。尚、導光板４の入射面７を粗面化し、入射面７近傍の出射光量を調整し、出射光の明暗が繰り返し生じる現象（写り込み現象）を抑えるようにしてもよい。又、導光板４の出射面２３や下面（一方の面）２４には、光拡散性のインク（例えば、炭酸マグネシウム、酸化チタン等を顔料とするインク）を選択的に付着させたり、梨地面（シボ面）を部分的に形成し、光を拡散させることにより出射光量を調整するようにしてもよい。
【００２３】
プリズムシート５は、ポリカーボネート等の透光性のシート材で形成されており、導光板４に対向する面（下面）に断面略三角形状のプリズム面２５が多数連続して形成されている。尚、このプリズムシート５のプリズム面２５は、導光板４の入射面７と略平行する方向へ延びており、導光板４から出射した光の進行方向を補正し、液晶表示パネル１７を面状に効率的に照射できるように工夫されている。
【００２４】
保護シート６は、ポリカーボネイト等の透光性のシート材で形成されており、プリズムシート５の出射面を覆うように取り付けられ、面光源装置１の組立時等においてプリズムシート５の出射面が傷付くのを防止するようになっている。又、保護シート６は、出射面に梨地面（シボ面）を適宜形成し、プリズムシート５からの出射光を拡散させて、出射光の均一化をより一層図るようにしてもよい。
【００２５】
リフレクター１１は、優れた光反射性を有する白色ＰＥＴフィルムで形成され、蛍光ランプ８を取り囲むように円弧状に曲げられた状態でフレーム２に収容されている。そして、リフレクター１１の上端部２６が導光板４の蛍光ランプ８側の出射面２３に当接し、リフレクター１１の下端部２７が反射シート３の蛍光ランプ８側の下面に当接するようになっている。その結果、蛍光ランプ８から発せられた光は、導光板４の入射面７から導光板４の内部に直接入射すると共に、リフレクター１１の内面で反射させられた後に導光板４の入射面７から導光板４の内部に入射する。尚、リフレクター１１の下端部２７は、フレーム２の張り出し部１３で支持されている。
【００２６】
以上のように構成された第１形態の面光源装置１は、蛍光ランプ８から発せられた光が導光板４の入射面７から導光板４の内部に入射して、その入射光が導光板４内を伝播し、その導光板４を伝播する光が出射面２３に対して臨界角以下になると出射面２３から出射する。また、導光板４の他方の側面２０から出射する光や導光板４の下面２４から出射する光は、その一部が反射シート３の光吸収層２２，２１で吸収され、この光吸収層２２，２１で吸収されなかった光が反射シート３で反射されて再度導光板４の内部に入射する。そして、導光板４の出射面２３から出射した光は、プリズムシート５で進行方向が補正され、保護シート６を通過した後、液晶表示パネル１７を面状に照明する。
【００２７】
以上のように、第１形態の面光源装置１によれば、反射シート３は、導光板４の入射面７と反対側に位置する他方の側面２０やプリズムシート５及び保護シート６の端面５ａ，６ａに密接する立ち上げ部３ｂが折り曲げ形成されており、この立ち上げ部３ｂ及びこの立ち上げ部３ｂに連続する平面部３ａの一部分で且つ導光板４に対向する面側に光吸収層２２，２１が形成されているため、導光板４の他方の側面２０及びこの他方の側面２０近傍の下面２４から出射する光を光吸収層２２，２１で吸収し、導光板４の他方の側面２０近傍の出射面２３から出射する光の輝度と導光板４の他の出射面２３から出射する光の輝度との均一化を図り、出射光の明暗のばらつきを防止することが可能になる。
【００２８】
又、第１形態の面光源装置１によれば、反射シート３の平面部３ａに形成された光吸収層２１は、ドット状に形成されており、しかもそのドットの面積が立ち上げ部３ｂから遠ざかるにしたがって小さくなるように形成される態様であるため、ドット面積の変化率やドット密度を面光源装置１の設計条件等に応じて適宜変更し、光の吸収率を最適な状態に調整することが可能になる。
【００２９】
又、第１形態の面光源装置１によれば、反射シート３に光吸収層２１，２２が形成される態様であり、しかも光吸収層２１，２２が立ち上げ部３ｂから平面部３ａの一部分に跨る領域に形成されているため、導光板４（４２）の薄い他方の側面２０（５０）にのみ光吸収テープ（５５）を貼り付ける従来例に比較して（図１２参照）、光吸収層２１，２２を容易且つ確実に形成することができる。
【００３０】
尚、ここで、第１形態の面光源装置１と、この面光源装置１のフレーム２のパネル係合部１８ａ，１８ｂに係合される液晶表示パネル（画像表示パネル）１７と、で画像表示装置２８が構成される。従って、画像表示装置２８は、液晶表示パネル１７が輝度ムラがない高品位の出射光で均一に照明されることになり、高品位の画像表示が可能になる。
【００３１】
又、上記第１形態において、反射シート３は、図５に示すように、立ち上げ部３ｂに連続する平面部３ａの光吸収層２１を上記の実施の形態と同様のドットパターンに形成する一方、立ち上げ部３ｂの光吸収層２２を一定面積のドットパターンに形成するようにしてもよい。このように構成すれば、反射シート３は、光吸収層２１，２２のドット面積やドット密度を適宜変更したり、光吸収層２１，２２自体の光吸収率を適宜変更することにより、面光源装置１の設計条件に合致するように光を吸収することが可能になり、出射光をより一層均一化することが可能になる。
【００３２】
又、反射シート３は、図６に示すように、立ち上げ部３ｂ及びこの立ち上げ部３ｂに連続する平面部３ａの一部分で且つ導光板４に対向する面の全体を光吸収性のインクで塗って光吸収層２２，２１を形成したり、また白や黒等の光吸収性のテープを貼り付けて光吸収層２２，２１を形成するようにしてもよい。このように、立ち上げ部３ｂ及びこの立ち上げ部３ｂに連続する平面部３ａに跨って光吸収層２２，２１を形成するようにすれば、導光板４の厚さが薄くなっても、光吸収層２２，２１の面積が広いため、光吸収層２２，２１の形成が従来例に比較して容易になる。
【００３３】
又、上記の各反射シート３は、図３に示すように、立ち上げ部３ｂが保護シート６の端面６ａに密接する大きさに形成されているが、これに限られず、立ち上げ部３ｂが保護シート６を越える大きさに形成されてもよく、また少なくとも導光板４の他方の側面２０に対向する部位までの大きさに形成されていればよい。
【００３４】
又、上記の各反射シート３は、図４〜図６に示すように、光吸収層２２，２１が立ち上げ部３ｂから平面部３ａに跨るように形成されているが、これに限られず、少なくとも立ち上げ部３ｂに光吸収層２２が形成されていればよい。
【００３５】
［第２形態］
図７は、本発明の第２形態に係る面光源装置１を示すものである。この図７に示すように、第２形態に係る面光源装置１は、反射シート３の立ち上げ部３ｂを形成することなく、導光板４の他方の側面２０からエッジ３０を挟んで連続する導光板４の下面２４に跨る領域に黒又は灰色の光吸収性のテープ３１を貼着することにより、導光板４に光吸収層（テープ３１）が形成されている。このように構成すれば、薄い導光板４（４２）の他方の側面２０（５０）のみに光吸収層を形成する（光吸収テープ５５を貼着する）従来例に比較して（図１２参照）、光吸収性のテープ３１の貼着部の面積が大きく、光吸収性のテープ３１も大きくなるため、光吸収性のテープ３１の貼着作業（光吸収層の形成）が容易になる。
【００３６】
このような構成の面光源装置１は、導光板４の他方の側面２０及び下面２４に跨って貼着された光吸収性のテープ３１が導光板４の他方の側面２０近傍の光を吸収し、導光板４の他方の側面２０近傍の出射面２３からの出射光輝度を低下させて、導光板４の出射面２３から出射される光の輝度の均一化を図ることが可能になる。
【００３７】
［第３形態］
図８は、本発明の第３形態に係る面光源装置１を示すものである。この図８に示す面光源装置１は、白色のフレーム２の内面で且つ導光板４の他方の側面２０に対向する面とフレーム２の張り出し部１２で且つ導光板４の下面２４に対向する面とに跨って光吸収層３２が形成されている。ここで、光吸収層３２は、前記第１形態と同様に光吸収性のインクで形成してもよく、また前記第２形態と同様に光吸収性のテープを貼着するようにしてもよい。そして、光吸収層３２は、図４（ｂ），図５（ｂ）または図６（ｂ）のいずれかの形態が適宜採用される。尚、光吸収層３２は、好ましい形態として、図８に示すように、フレーム２の内面で且つ導光板４の他方の側面２０に対向する面の全域に形成する態様が示されているが、これに限られず、少なくとも導光板４の他方の側面２０に対応する領域に光吸収層３２が形成されていればよい。又、光吸収層３２は、図８に示すように、フレーム２の張り出し部１２で且つ導光板４の下面２４に対向する面の全域に形成される態様が示されているが、これに限られず、少なくとも導光板４の他方の側面２０の下方位置まで形成されていればよい。
【００３８】
このような構成の第３形態の面光源装置１は、フレーム２の内面で且つ導光板４の他方の側面２０に対向する面とフレーム２の張り出し部１２で且つ導光板４の下面２４に対向する面とに跨って光吸収層３２が形成されており、この光吸収層３２の形成領域が導光板４の他方の側面２０のみに光吸収テープ（５０）を貼着する従来例に比較して広いため（図１２参照）、光吸収層３２の形成が従来例に比較して容易且つ確実に形成される。
【００３９】
又、第３形態の面光源装置１は、上記各形態と同様に、導光板４の他方の側面２０から出射する光を吸収し、導光板４の他方の側面２０近傍の出射面２３からの出射光輝度を低下させて、導光板４の出射面２３から出射される光の輝度の均一化を図ることが可能になる。
【００４０】
［第４形態］
図９は、本発明の第４形態に係る面光源装置１を示すものである。この図９に示す面光源装置１は、導光板４の他方の側面２０とフレーム２の内面との間に導光板４の熱変形を許容する隙間３３が形成され、この隙間３３にゴム状弾性部材３４が収容されている。このゴム状弾性部材３４は、反射シート３の下面３ｃから保護シート６の上面６ｂまでの高さに形成されており、少なくとも導光板４の他方の側面２０に対向する面が黒又は灰色に着色された光吸収層３５になっている。
【００４１】
又、ゴム状弾性部材３４は、導光板４の熱変形を吸収できるように変形でき、導光板４の他方の側面２０の形状に合わせて密接することができると共に、反射シート３，プリズムシート５及び保護シート６の端面３ｄ，５ａ，６ａに密接することができるため、導光板４の他方の側面２０側から出射する光を吸収することができ、導光板４の他方の側面２０近傍の出射面２３からの出射光輝度を低下させて、導光板４の出射面２３から出射される光の輝度の均一化を図ることが可能になる。
【００４２】
以上のように、第４形態に係る面光源装置１は、板状のゴム状弾性部材３４を導光板４の他方の側面２０とフレーム２の内面との隙間３３に収容することにより、ゴム状弾性部材３４の光吸収層３５を導光板４の他方の側面２０に密接させることができ、導光板４の他方の側面２０から外部に出射する光を吸収して、導光板４の他方の側面２０側近傍の出射面２３から出射される光と、導光板４の他の出射面２３から出射される光との輝度の均一化を図ることができる。
【００４３】
又、第４形態に係る面光源装置１は、板状のゴム状弾性部材３４に光吸収層３５が形成されているため、薄い導光板４の他方の側面２０に着色テープを貼着する従来例に比較して、光吸収層３５の形成が容易になる。
【００４４】
尚、この第４形態において、ゴム状弾性部材３４は、図９に示すように、保護シート６の上面６ｂに達する高さに形成されているが、これに限られず、少なくとも導光板４の他方の側面２０に対向する領域に位置する高さに形成されていればよい。又、ゴム状弾性部材３４は、保護シート６を越える高さに形成するようにしてもよい。
【００４５】
又、この第４形態の面光源装置１は、上記各形態と同様に、導光板４の他方の側面２０から出射する光を吸収し、導光板４の他方の側面２０近傍の出射面２３からの出射光輝度を低下させて、導光板４の出射面２３から出射される光の輝度の均一化を図ることが可能になる。
【００４６】
又、図４及び図５において、光吸収層２１，２２のドット形状は、円形のものを例示したが、これに限られず、楕円形状や矩形形状等に適宜変更することができる。
【００４７】
又、上記の各形態において、断面が略楔形形状の導光板４を例に採って説明したが、これに限られず、導光板４の上面（出射面）２３と下面２４が平行に形成されたものや、その他の適宜形状の導光板４が使用される。
【００４８】
又、上記各形態は、光源として蛍光ランプ８を例に採って説明したが、これに限られず、多数の発光ダイオードを一列に並べたものを光源として使用するようにしてもよい。
【００４９】
又、上記各形態は、導光板４の出射面２３に１枚のプリズムシート５のみを配置する態様を示したが、これに限られず、導光板４の出射面２３に拡散シートや、プリズム面が略直交するように組み合わされた２枚のプリズムシートや、保護シート等を適宜組み合わせて配置するようにしてもよい。
【図面の簡単な説明】
【００５０】
【図１】本発明の第１形態に係る面光源装置の分解斜視図である。
【図２】図１のＡ−Ａ線に沿って切断して示す面光源装置の要部断面図である。
【図３】図２のＢ部拡大図である。
【図４】本発明の第１形態に係る反射シートの端部を示す図であり、図４（ａ）は反射シートの平面状態図、図４（ｂ）は反射シートの端部折り曲げ状態図である。
【図５】反射シートの第１の応用例を示す図であり、図５（ａ）は反射シートの平面状態図、図５（ｂ）は反射シートの端部折り曲げ状態図である。
【図６】反射シートの第２の応用例を示す図であり、図６（ａ）は反射シートの平面状態図であり、図６（ｂ）は反射シートの端部折り曲げ状態図である。
【図７】本発明の第２形態を示す面光源装置の一部拡大断面図である。
【図８】本発明の第３形態を示す面光源装置の一部拡大断面図である。
【図９】本発明の第４形態を示す面光源装置の一部拡大断面図である。
【図１０】第１の従来例を示す面光源装置の断面図である。
【図１１】図１０の面光源装置のＣ部拡大図である。
【図１２】第２の従来例を示す面光源装置の断面図である。
【符号の説明】
【００５１】
１……面光源装置、２、……フレーム、３……反射シート、３ａ……平面部（立ち上げ部に連続する部分）、３ｂ……立ち上げ部、４……導光板、７……入射面（一方の側面）、８……蛍光ランプ（光源）、１７……液晶表示パネル（画像表示パネル）、２１，２２，３２，３５……光吸収層、２０……他方の側面、２３……出射面（他方の面）、２４……下面（一方の面）、２８……画像表示装置、３１……テープ（光吸収層）、３３……隙間、３４……ゴム状弾性部材
【図１】
2006108116.tif 000003
【図２】
2006108116.tif 000004
【図３】
2006108116.tif 000005
【図４】
2006108116.tif 000006
【図５】
2006108116.tif 000007
【図６】
2006108116.tif 000008
【図７】
2006108116.tif 000009
【図８】
2006108116.tif 000010
【図９】
2006108116.tif 000011
【図１０】
2006108116.tif 000012
【図１１】
2006108116.tif 000013
【図１２】
2006108116.tif 000014